(57)【特許請求の範囲】
【請求項１】
観察用光源からの光を照明系を介して被検眼の眼底に照射し、眼底からの反射光を結像光学系を介して結像させて被検眼眼底を観察する眼底カメラにおいて、
被検眼と眼底カメラとのアライメントがなされているとき被検眼前眼部に結像して投影されるアライメント用指標と、
前記結像光学系に挿脱され被検眼前眼部の観察を可能にする補助光学系と、
前眼部観察用の光源とを設け、
前記補助光学系を結像光学系に挿入し、前眼部観察用の光源を点灯して、観察される被検眼前眼部のアライメント用指標の像に基づきアライメントを行い、該アライメント時には前記眼底を照射するための観察用光源を消灯することを特徴とする眼底カメラ。
【請求項２】
前記補助光学系は前記結像光学系が前記照明系と共通になる部分に挿脱されることを特徴とする請求項１に記載の眼底カメラ。
【請求項３】
前記アライメント用指標が赤外光で照明されることを特徴とする請求項１又は２に記載の眼底カメラ。
【請求項４】
アライメント時被検眼前眼部が赤外光で照明されることを特徴とする請求項１から３のいずれか１項に記載の眼底カメラ。
【請求項５】
前記アライメント用指標が分割されて被検眼前眼部に投影されることを特徴とする請求項１から４のいずれか１項に記載の眼底カメラ。
【請求項６】
前記アライメント用の指標が異なる光源により照明されることを特徴とする請求項１から５のいずれか１項に記載の眼底カメラ。
【請求項７】
前記異なる光源が互いに逆位相で駆動されることを特徴とする請求項６に記載の眼底カメラ。
【発明の詳細な説明】
【０００１】
【発明の属する技術分野】
本発明は、眼底カメラ、更に詳細には、観察用光源からの光を照明系を介して被検眼の眼底に照射し、眼底からの反射光を結像光学系を介して結像させ、被検眼前眼部と共役な位置に配置された穴あき全反射ミラーで照明系と結像光学系を分岐させて被検眼眼底を観察する無散瞳型眼底カメラに関する。
【０００２】
【従来の技術】
光源からの光で照明された眼底からの反射光を結像させ眼底像を撮影するカメラとして、一般的には散瞳型眼底カメラと無散瞳型眼底カメラが知られている。散瞳型眼底カメラは、主に可視光の光源を使用し、画角を広く撮影できカメラ自体のアオリ機構をもつことにより眼底の隅々まで撮影を可能としている。この散瞳型眼底カメラの欠点としては被検眼を散瞳する必要があり、被検者に多大の負担を強いることである。
【０００３】
一方、無散瞳型眼底カメラでは、機能的には散瞳型眼底カメラに劣るが、観察用光源として赤外光を使用することから被検眼を散瞳させる必要がなく被検者への負担が少ない。また、ピント合わせも可視光を用いず、赤外光のフォーカス指標を眼底に投影することによりフォーカス制御が行われている。この無散瞳型眼底カメラは散瞳剤を用いないために集団検診等に広く使用されているが、自然散瞳を利用するために室内を完全に近い暗室にする必要があり、散瞳型眼底カメラに比べても被検眼とのアライメント（位置合わせ）がより容易な眼底カメラが望まれている。
【０００４】
【発明が解決しようとする課題】
従来の眼底カメラでは、被検眼との位置合わせを容易にするために位置合わせ検知用の指標（ワーキングドット、以下ＷＤと略す）を被検眼角膜に投影したり、特公昭５２−４８４４０、特公昭６１−９０などでは前眼部観察用の補助レンズを挿脱することで行われている。しかしながら、ＷＤを投影してアライメントを行う方式では、被検眼との位置がかなり良い状態にならないと検知できないという問題があり、また補助レンズを挿脱する方式では前眼部（例えば虹彩など）のピント状態を見てアライメントを行うために、アライメントの精度が良くないという問題や赤外光と可視光とを撮影系が共有するため、波長によってピントの差が出るという問題などがある。
【０００５】
従って、本発明の課題は、このような問題点を解決するためになされたもので、簡単な手段で被検眼との位置合わせが容易な眼底カメラを提供することである。
【０００６】
【課題を解決するための手段】
本発明は、この課題を解決するために、
観察用光源からの光を照明系を介して被検眼の眼底に照射し、眼底からの反射光を結像光学系を介して結像させて被検眼眼底を観察する眼底カメラにおいて、
被検眼と眼底カメラとのアライメントがなされているとき被検眼前眼部に結像して投影されるアライメント用指標と、
前記結像光学系に挿脱され被検眼前眼部の観察を可能にする補助光学系と、
前眼部観察用の光源とを設け、
前記補助光学系を結像光学系に挿入し、前眼部観察用の光源を点灯して、観察される被検眼前眼部のアライメント用指標の像に基づきアライメントを行い、該アライメント時には前記眼底を照射するための観察用光源を消灯する構成を採用した。
【０００７】
このような構成によれば、被検眼と眼底カメラがアライメントしているときにはアライメント用指標が被検眼前眼部に結像して投影されるので、その投影された指標像の結像状態を観察することにより容易にしかも正確にアライメントを行なうことが可能になる。
【０００８】
また、本発明では、アライメント時には前眼部が赤外光で照明され、またアライメント用指標が赤外光で照明されるので、容易に無散瞳型眼底カメラに適用することが可能になる。
【０００９】
また、アライメント用指標を分割して被検眼前眼部に投影するようにすると、非アライメント時指標像がぼけるだけでなく、像が分離するためにアライメントの判定が容易になり位置合わせ精度を更に向上させることができる。また、アライメント用指標を異なる光源で照明し、各光源を互いに逆位相で駆動すると、アライメントがずれた時、像がぼけて２つに分離するだけでなく、像が点滅を始めるのでアライメントを更に的確に判定することが可能になる。
【００１０】
【発明の実施の形態】
以下図面に示す実施の形態に従って本発明を詳細に説明する。
【００１１】
図１に本発明に係わる眼底カメラを示す。ハロゲンランプ等からなる観察用光源２がミラー１の中心に配置され、この光源２から発せられた光は、コンデンサレンズ３、フィルター４、ミラー５を経てレンズ６、リング状照明を形成するためのリングスリット７に入射する。尚、フィルター４は赤外光のみを透過させる赤外フィルターで、ミラー５はハーフミラーかダイクロイックミラー（可視光透過、赤外光反射）、もしくはリターンミラー（挿脱可能なミラー）のいずれかで構成される。
【００１２】
リングスリット７を通過した光線は、続いてリレーレンズ８を経て、対物レンズの反射をとるための黒点板９、リターンミラーＭ１、レンズ１０を介して被検眼前眼部と共役な位置に配置された穴あき全反射ミラー１１で反射されてから、対物レンズ１２を経て被検眼Ｅの瞳（虹彩）Ｅｐより眼底Ｅｒに入射される。
【００１３】
眼底Ｅｒからの反射光は再び瞳Ｅｐから対物レンズ１２を介して受光され、穴あき全反射ミラー１１の穴を介して合焦レンズ１６、結像レンズ１７を通過し、リターンミラー１８に入射する。リターンミラー１８で反射された光は、ピント位置に置かれた視野絞り（マスク）１９を通過後、フィールドレンズ２０、ミラー２１、レンズ２２を介してＣＣＤなどの撮像素子２３に結像され、モニターＭで検者に観察される。
【００１４】
尚、眼底像をフィルムに撮影したい場合には、ミラー１３の中心に置かれたストロボ１４が発光し、コンデンサーレンズ１５、ミラー５を介して先程と同様にして眼底Ｅｒが照明され、これと同期してリターンミラー１８が光路から外され、フィルムＦ上に眼底像が撮影される。
【００１５】
また、穴あき全反射ミラー１１と対物レンズ１２間には、前眼部観察用の補助レンズＬ１が光路内に挿入あるいは光路外に離脱できるように配置され、また、対物レンズ近傍には、前眼部観察用の赤外光光源５０が配置され、更にアライメント用の指標を投影するための光源３０並びにピンホール等からなるアライメント用の指標３１が設けられる。指標３１の位置は、被検眼と装置の位置合わせが正しいときに、補助レンズＬ１を介して被検眼前眼部、すなわち被検眼の瞳（虹彩）Ｅｐに結像される様に設定される。つまり、補助レンズＬ１を挿入したときには、眼底に代わり被検眼前眼部が観察面と共役になり、被検眼の瞳（虹彩）Ｅｐに結像されるアライメント指標の結像状態が観察できるようになる。
【００１６】
このような構成において、測定にあたって被検眼との位置合わせ、すなわち、アライメントを行なうときには、図１で光路外に離脱していた前眼部観察用の補助レンズＬ１が、図２に示すように、光路内に挿入され、前眼部観察用の赤外光光源５０が点灯し、被検眼Ｅが照明される。これと同時に、アライメント用の指標を投影するための光源３０が点灯し、ピンホール等からなるアライメント用の指標３１を照明する。この時リターンミラーＭ１は光路内に挿入される。
【００１７】
指標３１から出た光は、リターンミラーＭ１で反射され、レンズ１０を介して中心に穴のあいた穴あき全反射ミラー１１で反射されてから、前眼部観察用の補助レンズＬ１、対物レンズ１２を経て、被検眼の瞳（虹彩）Ｅｐに結像される。この時、被検眼と装置の位置合わせが正しいときに、被検眼の瞳（虹彩）Ｅｐに結像される様に指標３１の位置が設定されているので、アライメントが正しく行われた時には、モニターＭ上には図３（Ａ）の様に虹彩Ｅｐ上にアライメント用の指標３１の像３１ａがピントのあった状態で観察される。一方、アライメントがズレた場合には、図３（Ｂ）の様にアライメント用の指標３１の像３１ｂはぼけた状態となる。
【００１８】
この指標３１は被検眼の虹彩Ｅｐ上に結像されるので、アライメント用の指標を投影するための光源３０は可視光でも被検眼に影響は無いが、アライメントの調整時に被検眼眼底Ｅｒに入射する恐れがあるので、赤外光であることが好ましい。尚、アライメント時に光源２からの光は補助レンズＬ１や対物レンズ１２の表面で反射して有害光となるので消灯させておく。このようにしてアライメントが正しく行われた後、前眼部観察用の補助レンズＬ１が光路内より離脱され、前眼部照明用の赤外光光源５０が消灯され、それと同時に光源３０が消灯される。この後、必要に応じて被検眼眼底ＥｒがモニターＭ上で観察されもしくはフィルムＦに撮影される。
【００１９】
次に、アライメントの精度をさらに高める方法について説明する。アライメントの精度を高めるために、アライメント用の指標を投影する光学系の途中に光線を２分割する手段を設ける。例えば、図４に示すようにリターンミラーＭ１上に図中斜線部３５、３５’のみを反射面とするような構成をとると、アライメント用の指標３１から出た光は、ミラーＭ１で光線が２分割され、図５（装置を上から見た図）に示す様に対物レンズ１２においても光線は２分割され、被検眼の瞳（虹彩）Ｅｐ上で初めて１つになりピントを結ぶようになる。
【００２０】
アライメント用の指標３１は、アライメントが正しい時に被検眼の瞳（虹彩）上にピントを結ぶ様に設定されているので、アライメントが正しいときには、指標の像３１ａは、図６（Ａ）に示すように、被検眼虹彩Ｅｐ上でピントを結ぶ。また、アライメントがズレた時には図６（Ｂ）に示す様に、虹彩上で指標の像は２つの像３１ｃ、３１ｄに分離し、さらにピントもぼけるので、アライメントの精度が向上する。尚、図４においてミラーＭ１の図中斜線部３５、３５’以外の面を光線不透過にしておくと、アライメント時の光源２からの有害光線がここでカットされるので光源２を消灯させる必要がなくなる。
【００２１】
図７には、更に他の実施形態が図示されている。同図では、アライメント用の指標３１を投影する光源を２つ（ＬＥＤ１とＬＥＤ２）にして、さらにこの光源ＬＥＤ１とＬＥＤ２をお互いに逆位相で点滅させる。このようにすると、アライメントがズレた時に図６（Ｂ）の様に指標の像３１ｃ、３１ｄが２つに分離してピントがぼけるだけでなく、分離した指標の像がお互いに逆位相で点滅を開始する。もちろん、アライメントが正しい時にはお互いに位相が補間されるので実際には点滅していても連続点灯のように見える。この様な構成にすることにより、アライメントの精度をよりいっそう向上させることができる。
【００２２】
更に図８には、他の実施形態が図示されており、この実施形態では、アライメント用の指標を投影するための光源４０、ピンホール等からなるアライメント用の指標４１、レンズ４２並びにミラーＭ２からなる光学系が穴あき全反射ミラー１１と合焦レンズ１６間に配置される。図１の実施形態と同様に、アライメント時には前眼部観察用の補助レンズＬ１が光路内に挿入され、前眼部照明用の赤外光光源５０が点灯して被検眼Ｅを照明する。それと同時に、アライメント用の指標を投影するための光源４０を点灯させる。
【００２３】
アライメント用の指標を投影するための光源４０から出た光は、アライメント用の指標４１を照明し、レンズ４２、ミラーＭ２を介して、穴あき全反射ミラー１１の穴の部分を通過後、前眼部観察用の補助レンズＬ１を通過後、対物レンズ１２を介して、被検眼の瞳（虹彩）Ｅｐ上にピントを結ぶ。前記の実施形態と同様にこのアライメント用の指標４１は、被検眼と装置のアライメントが正しい時に虹彩Ｅｐ上にピントを結ぶ様に設定されているので、アライメントがズレた時にはピントはぼける。これにより被検眼と装置のアライメントを正確に判定することができる。
【００２４】
さらにこの実施形態で、図９に図示したように、ミラーＭ２を反射面３６、３６’として光線を２分割するようにしてもよい。このミラーＭ２は図中の斜線部が反射面３６、３６’でこの反射面の間は撮影用の光線が通過する。この実施形態ではミラーＭ２は、ミラーＭ１の様に光路内から離脱させなくてもよい。但し、この例ではアライメント時の光源２からの有害光線はカットされないので、アライメント時には光源２は消灯させておく。機能及び発明の効果については前記の実施形態と同じなので、詳細説明は省略する。
【００２５】
また、ミラーＭ２による光線の分割は、図１０に図示したように、所定間隔離間したミラーＭ２’を設けることにより行なってもよい。この構成でも、図９の構成と同様な効果が得られる。
【００２６】
【発明の効果】
以上説明したように、本発明では、被検眼と眼底カメラがアライメントしているときにはアライメント用指標が被検眼前眼部に結像して投影されるので、その投影された指標像の結像状態を観察することにより容易にしかも正確にアライメントを行なうことが可能になる。
【図面の簡単な説明】
【図１】本発明の１実施形態に係わる眼底カメラの概略の構成を示した光学図である。
【図２】図１の構成でアライメントを行なうときの状態を示した光学図である。
【図３】アライメント時モニター上で観察される像を示した説明図である。
【図４】アライメント光線を２分割する構成を示した構成図である。
【図５】アライメント光線を２分割したとき被検眼に向かうアライメント光線を示した説明図である。
【図６】アライメント光線を２分割したときモニター上で観察される像を示した説明図である。
【図７】アライメント光線を２分割する他の構成を示した構成図である。
【図８】本発明の他の実施形態に係わる眼底カメラの概略の構成を示した光学図である。
【図９】図８の構成でアライメント光線を２分割する構成を示した構成図である。
【図１０】図８の構成でアライメント光線を２分割する他の構成を示した構成図である。
【符号の説明】
２  観察用光源
１１  穴あき全反射ミラー
１２  対物レンズ
３０  アライメント用光源
３１  アライメント用指標
５０  前眼部観察用の赤外光光源
Ｌ１  前眼部観察用の補助レンズ
Ｅ  被検眼
Ｅｐ  被検眼の瞳（虹彩）
Ｅｒ  被検眼眼底
【図１】
0003896203.tif 000002
【図２】
0003896203.tif 000003
【図３】
0003896203.tif 000004
【図４】
0003896203.tif 000005
【図５】
0003896203.tif 000006
【図６】
0003896203.tif 000007
【図７】
0003896203.tif 000008
【図８】
0003896203.tif 000009
【図９】
0003896203.tif 000010
【図１０】
0003896203.tif 000011